(57)【要約】【課題】表示画面の縦、横の基準の向きが、実際の縦、横の向きと異なる姿勢に表示画面を向けた場合でも、カーソルの移動方向を実際の縦、横に合わせるように補正することで、操作性を向上させることができるポインティングデバイスを提供する。【解決手段】ポインティングデバイス１の動きを検出する検出手段２と、検出手段２の検出結果を、ポインティングデバイス１の縦、横の動きに対して所定角度補正する補正手段３と、補正手段３で補正した信号を有線又は無線により伝送して携帯端末５へ出力する出力手段６と、補正手段３のＯＮ／ＯＦＦを切り換える切替手段７と、を備えている。【選択図】図３
2019046156.tif 000002
【特許請求の範囲】
【請求項１】
ポインティングデバイスの動きを検出する検出手段と、
前記検出手段の検出結果を、前記ポインティングデバイスの縦、横の動きに対して所定角度補正する補正手段と、
前記補正手段で補正した信号を有線又は無線により伝送して携帯端末へ出力する出力手段と、
前記補正手段のＯＮ／ＯＦＦを切り換える切替手段と、
を備えていることを特徴とするポインティングデバイス。
【請求項２】
前記補正手段は、前記ポインティングデバイスの縦、横の動きに対して９０°補正することを特徴とする請求項１に記載のポインティングデバイス。
【請求項３】
前記補正手段は、前記検出手段の検出結果を上向きが右向きとなるように右側へ９０°補正する右９０°補正と、前記検出手段の検出結果を上向きが左向きとなるように左側へ９０°補正する左９０°補正と、を含み、前記右９０°補正及び前記左９０°補正を選択する選択手段を備えていることを特徴とする請求項１又は２に記載のポインティングデバイス。
【発明の詳細な説明】
【技術分野】
【０００１】
本発明は、例えば画面上のカーソルの位置を制御してメニューを選択する、又はホーム画面に並んでいる複数のアイコンのうちの特定のアイコンを指示するためのポインティングデバイスに関する。
【背景技術】
【０００２】
従来、携帯端末の一例であるスマートフォンは、縦長画面となる縦向きの姿勢で使用することを主眼にユーザーインターフェイス（ＵＩ）が設計されている。そのため、一部のアプリケーションにおいては、スマートフォンを縦向き姿勢から横長画面となるように９０°回転させて横向き姿勢にしても、画面の表示が縦長基準から横長基準に切り替わることがなく、縦長基準の画面表示のままになっている（例えば特許文献１参照）。
【先行技術文献】
【特許文献】
【０００３】
【特許文献１】特開２０１３−２０６１５７号公報（段落００４８）
【発明の概要】
【発明が解決しようとする課題】
【０００４】
上記のように、スマートフォンを横向き姿勢にして使用する場合、スマートフォンのホーム画面やインストールされているアプリケーション内の画面が横長基準に切り替わっていなくても、スマートフォンの画面に直接触れて操作すれば、操作がし難いといったことはないが、次のような状況では、操作がし難いという不都合があった。
【０００５】
近年において、ＶＲコンテンツをスマートフォンで視聴することができるようになっている。具体的には、顔に装着して使用するゴーグルに、スマートフォンを横向き姿勢にした状態で取り付けてＶＲコンテンツを視聴することになる。この場合において、一時的に横向き姿勢に対応していないアプリケーションに切り替える場合がある。例えば、電話がかかってきた際に、電話アプリケーションに切り替えて保留の操作をする場合が考えられる。そうすると、ゴーグルに装着されたスマートフォンの画面に直接触れて操作することができないため、マウスや コントローラ等のポインティングデバイスをスマートフォンに接続し、スマートフォンの画面に表示されるカーソルをポインティングデバイスで操作することになる。しかし、前記のようにスマートフォンを横向き姿勢にした状態で使用する時に、画面の表示が縦長基準のままであるため、横長となる向きになっている画面に表示されるカーソルの移動方向も縦長基準における移動方向のままであり、横長となる向きの画面に対応した方向になっていない。そのため、横長となる向きの表示画面を見ている時の方向に対してポインティングデバイスによるカーソルの移動方向が９０°ずれた状態になってしまい、操作者は思ったような操作ができず、操作がし難いといった不都合が発生していた。
【０００６】
本発明が前述の状況に鑑み、解決しようとするところは、表示画面の縦、横の基準の向きが、実際の縦、横の向きと異なる姿勢に表示画面を向けた場合でも、カーソルの移動方向を実際の縦、横に合わせるように補正することで、操作性を向上させることができるポインティングデバイスを提供することにある。
【課題を解決するための手段】
【０００７】
本発明のポインティングデバイスは、前述の課題解決のために、ポインティングデバイスの動きを検出する検出手段と、前記検出手段の検出結果を、前記ポインティングデバイスの縦、横の動きに対して所定角度補正する補正手段と、前記補正手段で補正した信号を有線又は無線により伝送して携帯端末へ出力する出力手段と、前記補正手段のＯＮ／ＯＦＦを切り換える切替手段と、を備えていることを特徴としている。
【０００８】
上記構成によれば、表示画面の縦、横の基準の向きが、実際の縦、横の向きに対して所定角度異なる姿勢に表示画面が向けられている場合であっても、補正手段をＯＮするように切替手段を切り替えることによって、ポインティングデバイスの縦、横の動きに対して所定角度補正した信号が有線又は無線により伝送されて携帯端末に出力される。これにより、表示画面上でのポインティングデバイスにより動かされるカーソルの方向を、実際の縦、横の方向と一致させることができる。また、表示画面の縦、横の基準の向きが、実際の縦、横の向きと一致している場合には、切替手段で補正手段をＯＦＦにすることで、ポインティングデバイスにより動かされるカーソルの方向を実際の縦、横の方向と一致させることができる。
【０００９】
また、本発明のポインティングデバイスは、前記補正手段が、前記ポインティングデバイスの縦、横の動きに対して９０°補正してもよい。
【００１０】
また、本発明のポインティングデバイスは、前記補正手段が、前記検出手段の検出結果を上向きが右向きとなるように右側へ９０°補正する右９０°補正と、前記検出手段の検出結果を上向きが左向きとなるように左側へ９０°補正する左９０°補正と、を含み、前記右９０°補正及び前記左９０°補正を選択する選択手段を備えていることが好ましい。
【００１１】
上記構成によれば、補正手段が、右９０°補正と左９０°補正とを備えているので、縦向きの携帯端末を左側へ９０°回転させて横向き姿勢にした場合には、選択手段により右９０°補正を選択し、縦向きの携帯端末を右側へ９０°回転させて横向き姿勢にした場合には、選択手段により左９０°補正を選択することによって、表示画面を見ている時の縦、横の方向に対してポインティングデバイスにより動かされるカーソルの方向を一致させることができる。
【発明の効果】
【００１２】
本発明によれば、表示画面の縦、横の基準の向きが、実際の縦、横の向きと異なる姿勢に表示画面を向けた場合でも、補正手段をＯＮするように切替手段を切り替えることによって、カーソルの移動方向を実際の縦、横に合わせるように補正する。これにより、操作性を向上させることができるポインティングデバイスを提供することができる。
【図面の簡単な説明】
【００１３】
【図１】携帯端末をゴーグル本体に携帯端末をセットする直前の状態を示す斜視図である。
【図２】本発明のポインティングデバイスをゴーグル本体にセットした携帯端末にＵＳＢケーブルを用いて接続した状態を示す側面図である。
【図３】本発明のポインティングデバイスの構成を示すブロック図である。
【図４】携帯端末を縦向きから横向き姿勢に変更してから補正手段によりカーソルの移動方向を補正した時の状態を示す説明図である。
【発明を実施するための形態】
【００１４】
本発明のポインティングデバイスについて説明する。このポインティングデバイスの一例として、コントローラ（ジョイパッド、登録商標）を示している。図３に示すように、コントローラ１は、コントローラ（本体）１の動きを検出する検出手段２と、検出手段２の検出結果を、コントローラ１の縦、横の動きに対して９０°補正する補正手段３と、補正手段３で補正した信号をＵＳＢケーブル４により伝送することで携帯端末（ここでは、スマートフォン）５へ出力する出力手段６と、前記補正手段３のＯＮ／ＯＦＦを切り換える切替手段７と、を備えている。
【００１５】
前記コントローラ１は、ＶＲコンテンツを視聴する際に用いられる。具体的には、図１に示すように、ゴーグル８に、携帯端末５を横向き姿勢にした状態で取り付けてから、図２に示すように、ゴーグル８を顔に装着して携帯端末５にインストールされているＶＲコンテンツを視聴することができる。このとき、ゴーグル８に装着された携帯端末５の画面に直接触れて操作することができないため、コントローラ１を携帯端末５にＵＳＢケーブル４を介して接続し、携帯端末５の画面に表示されるカーソル（図示せず）をコントローラ１で操作することになる。ゴーグル８は、携帯端末５を内部に取り付けることができるように開閉自在な前側部９Ａと前側部９Ａを支持するとともに顔に当接する後側部９Ｂとを有するゴーグル本体９と、ゴーグル本体９を顔に固定するための上部バンド１０と、側部バンド１１と、を備えているが、ゴーグル８の具体的構成は、図１及び図２に示す構成に限らない。
【００１６】
検出手段２は、コントローラ１の動き、つまり携帯端末５の表示画面に表示されるカーソル（図示せず）を上下左右の４方向（縦、横）に移動させるための十字形状の押しボタン式の入力部１２を押す動きを検出する手段である。入力部１２は、カーソルを上方へ移動させる上側部１３と、カーソルを下方へ移動させる下側部１４と、カーソルを左方へ移動させる左側部１５と、カーソルを右方へ移動させる右側部１６と、を備えている。それら上側部１３、下側部１４、左側部１５、右側部１６が押されたことを検出するセンサ（図示せず）を備えて、前記検出手段２が構成され、センサからの検出情報が携帯端末５に伝達されてカーソルを移動させる。例えば、入力部１２を操作してカーソルを所定の位置（例えばホーム画面に並んでいる所定のアイコン）まで移動させると、コントローラ１に備えている決定ボタン（図示せず）を押すことによって、所定のアイコンを開くことができるようにしている。
【００１７】
補正手段３は、コントローラ１の縦、横の動き、つまりコントローラ１の入力部１２の上側部１３、下側部１４、左側部１５、右側部１６を押したときの方向に対して９０°補正する手段である。具体的には、補正手段３は、上側部１３を押した時の上向きが右向きとなるように右側へ９０°補正する右９０°補正と、上側部１３を押した時の上向きが左向きとなるように左側へ９０°補正する左９０°補正と、を含み、右９０°補正及び左９０°補正を選択する選択手段１７（図３参照）を備えている。選択手段１７は、前記補正手段３のＯＮ／ＯＦを切り換える切替手段７を兼用している。そして、選択手段１７は、コントローラ１に配置された２つの押しボタン１８，１９から構成され、左側の押しボタン１８を押すことによって、左９０°補正を行い、右側の押しボタン１９を押すことによって、右９０°補正を行うように構成されている。
【００１８】
左９０°補正は、ゴーグル８に携帯端末５をセットする際に、図４（ａ）に示す縦向きの携帯端末５を右側へ（時計回りに）９０°回転させて横向き姿勢にした時（図４（ｄ）参照）に、上下左右の４つの方向をそれぞれ左側（携帯端末５の回転方向とは逆の方向）へ９０°回転させることによって、縦長基準を横長基準に切り替えることで、横向きの表示画面上でのコントローラ１により動かされるカーソルの方向を実際の縦、横の方向と一致させることができる（図４（ｅ）参照）。
【００１９】
また、右９０°補正は、ゴーグル８に携帯端末５をセットする際に、図４（ａ）に示す縦向きの携帯端末５を左側へ（反時計回りに）９０°回転させて横向き姿勢にした時（図４（ｂ）参照）に、上下左右の４つの方向をそれぞれ右側（携帯端末５の回転方向とは逆の方向）へ９０°回転させることによって、縦長基準を横長基準に切り替えることで、横向きの表示画面上でのコントローラ１により動かされるカーソルの方向を実際の縦、横の方向と一致させることができる（図４（ｃ）参照）。
【００２０】
このように、補正手段３が、右９０°補正と左９０°補正とを備えているので、縦向きの携帯端末５を左側へ９０°回転させて横向き姿勢にした場合には、選択手段１７である右側の押しボタン１９を押すことにより右９０°補正を選択すると同時に補正を実行する。また、縦向きの携帯端末５を右側へ９０°回転させて横向き姿勢にした場合には、選択手段１７である左側の押しボタン１８を押すことにより左９０°補正を選択すると同時に補正を実行する。このように押しボタン１８又は１９を押すことによって、表示画面を見ている時の縦、横の方向に対してコントローラ１により動かされるカーソルの方向を一致させることができる。また、表示画面の縦、横の基準の向きが、実際の縦、横の向きと一致している場合には、切替手段７で補正手段３をＯＦＦにすることで、コントローラ１により動かされるカーソルの方向を、実際の縦、横の方向と一致させることができる。
【００２１】
この実施形態では、携帯端末５としては、縦長基準の画面表示となる縦長画面を有するスマートフォンを用いているが、タブレット端末やＰＤＡ（Personal  Digital  Assistant）等を用いてもよい。
【００２２】
尚、本発明は、前記実施形態に限定されるものではなく、本発明の要旨を逸脱しない範囲で種々の変更が可能である。
【００２３】
前記実施形態では、ポインティングデバイスとして、コントローラを用いたが、マウス、トラックボール、ジョイステック、タッチパッド、ライトペン等であってもよい。マウスの場合には、所定回数左クリックする動き又は所定回数右クリックする動きあるいはマウスを所定の動きをさせた時に、マウス内に備えるセンサにて検出し、補正手段３を切り換えるようにしてもよい。
【００２４】
また、前記実施形態では、補正手段３が、右９０°補正と左９０°補正の２種類の補正を備えていたが、一方のみの補正（右９０°補正及び左９０°補正のいずれか一方の補正）を備えて実施することもできる。また、前記実施形態では、補正手段３が９０°補正のみであったが、携帯端末５を傾ける角度（９０°以外の角度も含む角度）に応じて角度を補正する補正手段を備えて実施することもできる。例えば１８０°の補正を備えた場合、机を挟んで向かい合って着座している相手方から見て上下方向が正しく表示されるよう画面を天井に向けて（あるいは相手方の方向にわずかに起立させて）机上に置いた際に、表示画面を見ている時の縦、横の方向に対してコントローラにより動かされるカーソルの方向を一致させることができる。
【００２５】
また、前記実施形態では、選択手段１７が、補正手段３のＯＮ／ＯＦＦを切り換える切替手段７を兼用したが、選択手段１７と切替手段７とを別々に設けて実施することもできる。
【００２６】
また、前記実施形態では、選択手段１７を２つの押しボタン１８，１９から構成したが、傾倒可能な２つのスイッチ又は傾倒可能な１つのスイッチから構成してもよい。この１つのスイッチの場合は、例えば垂直姿勢において補正手段３をＯＦＦに切り替え、左右のいずれかに傾倒操作することにより、右９０°補正又は左９０°補正に切り替えると同時に、補正手段３をＯＮに切り替えるように構成してもよい。
【００２７】
また、前記実施形態では、カーソル（図示せず）を上下左右の４方向に移動させるための十字形状の押しボタン式の入力部１２を設けたが、４つのボタンを設ける、又は傾倒可能な少なくとも１つのスイッチを設けてカーソル（図示せず）を移動させてもよい。
【００２８】
また、前記実施形態では、携帯端末５とポインティングデバイスであるコントローラ１とを有線（ＵＳＢケーブル４）で接続したが、Bluetooth（ブルートゥース、登録商標）やWi-Fi（登録商標）等の無線で接続してもよい。
【００２９】
また、前記実施形態では、携帯端末５として、縦長基準を有する縦長画面のものを用いたが、横長基準の横長画面を用いてもよいし、縦寸法と横寸法とが同一の正方形状の画面のものを用いてもよい。この正方形状の画面の場合、一方の辺方向を縦基準又は横基準として用いることになる。
【符号の説明】
【００３０】
１…コントローラ（ポインティングデバイス）、２…検出手段、３…補正手段、４…ＵＳＢケーブル、５…携帯端末（スマートフォン）、６…出力手段、７…切替手段、８…ゴーグル、８Ａ…前側部、９…ゴーグル本体、９Ａ…前側部、９Ｂ…後側部、１０…上部バンド、１１…側部バンド、１２…入力部、１３…上側部、１４…下側部、１５…左側部、１６…右側部、１７…選択手段、１８，１９…押しボタン
【図１】
2019046156.tif 000003
【図２】
2019046156.tif 000004
【図３】
2019046156.tif 000005
【図４】
2019046156.tif 000006